(57)【要約】【課題】  ベルにゆれが生じる状況においてもベル内において強い保持力を維持することができる消音器を提供する。【解決手段】  消音器１Ａの本体部１０Ａに設けられた支持部１５Ａは、接触部１５１をベル内壁に対向させて支持する金属板１５２を有する。また、支持部１５Ａは、本体部１０Ａの軸方向の前後２カ所に各々回動自在に軸支され、接触部１５１における軸方向の前後２カ所に各々回動自在に軸支された第１および第２のリンクとしての金属板１５３ｃおよび１５３ｆを有する。また、支持部１５Ａは、接触部１５１を本体部１０Ａから遠ざける反発力を発生し、接触部１５１をベル内壁に押し当てる板バネ１５４を有する。消音器１Ａがベルから引き抜かれようとすると、金属板１５３ｃおよび１５３ｆが立ち上がって接触部１５１をベル内壁に押し当てる力を増強させる。【選択図】図１
2015079217.tif 000002
【特許請求の範囲】
【請求項１】
管楽器のベル内に挿入される本体部と、
前記本体部が前記ベル内に挿入されることにより前記ベルの内壁に当接する接触部と、前記本体部に対して相対的に回動することにより前記接触部を移動させる部材を有する支持部と
を具備することを特徴とする消音器。
【請求項２】
前記支持部は、
前記本体部または前記本体部に固定された部材に軸支され、前記接触部を支持するリンクと、
前記接触部を前記本体部または前記本体部に固定された部材から遠ざける弾性部材と
を具備することを特徴とする請求項１に記載の消音器。
【請求項３】
前記リンクは、前記接触部を支持する一端と他端の中間の部分が前記本体部または前記本体部に固定された部材に軸支されており、
前記消音器は、当該他端を前記本体部の軸方向に進退させる機構を具備することを特徴とする請求項２に記載の消音器。
【請求項４】
管楽器のベル内に挿入される本体部と、
前記本体部が前記ベル内に挿入されることにより前記ベルの内壁に当接する接触部を有し、前記ベルの開口部側に傾いた角度で前記接触部を前記ベルの内壁に押し当てる支持部と
を具備することを特徴とする消音器。
【請求項５】
前記支持部は、
前記本体部または前記本体部に固定された部材に支持され、前記接触部を支持するリンクを有し、前記リンクにより前記ベルの開口部側に傾いた角度で前記接触部を前記ベルの内壁に押し当てることを特徴とする請求項４に記載の消音器。
【請求項６】
管楽器のベル内に挿入される本体部と、
前記本体部が前記ベル内に挿入されることにより前記ベルの内壁に当接する接触部を支持する支持部と、
前記接触部の前記ベルの内壁に対する圧力を調整する圧力調整手段と
を具備することを特徴とする消音器。
【発明の詳細な説明】
【技術分野】
【０００１】
本発明は、消音器に関する。
【背景技術】
【０００２】
消音器は、演奏者が手に持って吹奏する管楽器のベルに装着して使用される。このため、消音器には、ベルから脱落しないようにベル内に保持するための手段が設けられる。
【０００３】
消音器の一形態として、ストレートミュートがある。このストレートミュートでは、胴部の外周面の入口付近に、コルクのブロックが複数本分散して配置されている。ユーザがこのストレートミュートをベルに挿入すると、コルクのブロックの収縮による反発力が発生し、この反発力がコルクのブロックをベル内壁に押し当てて、ベル内壁との摩擦力を発生させる。これによりストレートミュートをベル内に止めるのに必要な初期保持力が得られる。
【０００４】
消音器の他の形態として、チーチーミュートがある。このチーチーミュートでは、胴部における音の入口全周にコルクが張られている。このチーチーミュートにおいても、ストレートミュートと同様、ベルへの挿入時におけるコルクの収縮による反発力が、ベル内壁との摩擦力を発生させ、チーチーミュートをベル内に止める初期保持力が得られる。
【０００５】
消音器の他の形態として、バケットミュートがある。このバケットミュートでは、本体の外周面の３カ所において本体部の前方に向けて３本の金具が出ている。バケットミュートは、この金具でベル端を挟んでベルに保持される。
【０００６】
消音器の他の形態として、特許文献１に開示されたものがある。この特許文献１に開示された消音器は、消音器本体から伸びたベルトとフックによりベルに保持される。
【０００７】
消音器の他の形態として、特許文献２に開示されたものがある。この特許文献２に開示された消音器は、ベルに接触している部分が３箇所あり、主に保持力に寄与しているのはベル内部側にあるコルク（特許文献２のＦｉｇ．１の符号３）である。ベル端側胴部の全周に巻かれたコルク（特許文献２のＦｉｇ．１の符号９）は、消音器とベル内壁により閉ざされた空間を密閉にする役割がある。実質的な保持力は、バネ状の部材がコルクをベル内壁に押し当て、ベル内壁との間に摩擦力を生じさせることにより得ている。
【先行技術文献】
【特許文献】
【０００８】
【特許文献１】特許第３５５２０２６号
【特許文献２】米国特許公開公報第１３０７２５９号
【発明の概要】
【発明が解決しようとする課題】
【０００９】
ところで、上述したストレートミュートおよびチーチーミュートは、ベルがゆすられた際や、ゆすられなくとも、消音器本体の自重などによって、コルクの圧縮具合が変化する。この結果、コルクとベル内壁との間の摩擦力が低下し、部分的に小さなスリップが接触面のあちこちで起こり、次第に消音器の位置がベルの前端方向にずれていき、保持力が低下していく。そして、保持力が限界に達した場合は消音器がベルから脱落するという問題がある。
【００１０】
また、バケットミュートは、装着する管楽器のベル端サイズにより保持力に差が出るという問題がある。また、バケットミュートは、金具の表面が軟質素材で覆われているが、この金具を管楽器のベルの内壁に押し当てるものであるため、楽器に傷をつけてしまわないか、あるいはベル端を変形させてしまわないか等の心配をユーザに与える問題がある。
【００１１】
また、特許文献１に開示の消音器は、ベルへの装着作業が煩雑であるという問題がある。また、この消音器も、フックを使用するので、楽器に傷をつけてしまわないか、あるいはベル端を変形させてしまわないか等の心配をユーザに与える問題がある。
【００１２】
また、特許文献２に開示の消音器は、コルクにより、ベルがゆすられても消音器本体がゆすられにくいという利点をもつが、逆にコルクにより消音器の装着位置が決まり、コルクの位置で相対的にベル内径が太い楽器に関しては保持力が弱くなるという問題がある。
【００１３】
本発明は、このような課題に鑑みてなされたものであり、消音器がゆすられる状況においてもベル内に適切に留めておくことができる消音器を提供することを目的とする。
【課題を解決するための手段】
【００１４】
好ましい態様において、この発明による消音器は、管楽器のベル内に挿入される本体部と、前記本体部が前記ベル内に挿入されることにより前記ベルの内壁に当接する接触部と、前記本体部に対して相対的に回動することにより前記接触部を移動させる部材を有する支持部とを具備する。
【００１５】
この消音器によれば、接触部をベル内壁に適切に当接させ、ベルがゆすられる状況においても消音器をベル内に留めておくことができる。
【００１６】
他の好ましい態様において、この発明による消音器は、管楽器のベル内に挿入される本体部と、前記本体部が前記ベル内に挿入されることにより前記ベルの内壁に当接する接触部を有し、前記ベルの開口部側に傾いた角度で前記接触部を前記ベルの内壁に押し当てる支持部とを具備する。
【００１７】
この消音器によれば、支持部がベルの開口部側に傾いた角度で接触部をベルの内壁に押し当てるので、消音器の本体部がベル外部に移動するのを支持部により妨げ、ベルがゆすられても消音器がベルから外れにくくすることができる。
【００１８】
他の好ましい態様において、この発明による消音器は、管楽器のベル内に挿入される本体部と、前記本体部が前記ベル内に挿入されることにより前記ベルの内壁に当接する接触部を支持する支持部と、前記接触部の前記ベルの内壁に対する圧力を調整する圧力調整手段とを具備する。
【００１９】
この消音器によれば、消音器のベルへの装着後にベル内における消音器の保持力を圧力調整手段により調整することができる。従って、ベルがゆすられても消音器がベルから外れにくくすることができる。
【図面の簡単な説明】
【００２０】
【図１】この発明の第１実施形態である消音器の構成を示す図である。
【図２】この発明の第２実施形態である消音器の構成を示す図である。
【図３】この発明の第３実施形態である消音器の構成を示す図である。
【図４】この発明の第４実施形態である消音器の構成を示す図である。
【図５】この発明の第５実施形態である消音器の構成を示す図である。
【図６】同実施形態における傘部、スペーサ、円筒部および軸部の構成を示す図である。
【図７】この発明の第６実施形態である消音器の構成を示す図である。
【図８】同実施形態の変形例における支持部の構成を示す図である。
【発明を実施するための形態】
【００２１】
以下、図面を参照し、この発明の実施の形態を説明する。
＜第１実施形態＞
図１（ａ）および（ｃ）はこの発明の第１実施形態である消音器１Ａの構成を示す縦断面図である。なお、図１では消音器の構成の理解を容易にするため、同消音器１Ａが挿入される管楽器のベル２が破線で示されている。後述の各実施形態においても同様である。ここで、図１（ａ）は消音器１Ａがベル２に浅く挿入され、ベル２に固定されていない状態を示しており、図１（ｃ）は消音器１Ａがベル２に深く挿入され、ベル２に固定された状態を示している。図１（ａ）および（ｃ）では、ベル２の右側に金管楽器のマウスピース（図示略）がある。以下の説明では、この金管楽器を演奏する演奏者の視線の方向に従って前後を表現する。例えば、図１（ａ）および（ｃ）において、ベル２は前方に進むに従って大径化しており、後方に進むに従って小径化している。図１（ｂ）および（ｄ）は図１（ａ）および（ｃ）における消音器１Ａをマウスピース側（図中、右側）から見た背面図である。
【００２２】
図１（ａ）および（ｃ）に示すように、消音器１Ａは、ベル２内に挿入される本体部１０Ａを有する。この本体部１０Ａは、ベル２に挿入される後端部１２Ａが開口し、その反対側の前端部１１Ａが閉塞した中空の筒体である。前端部１１Ａはドーム状の表面形状を有している。この前端部１１Ａから後端部１２Ａまでの区間を覆う側壁１３Ａは、管径が一定の中空円筒形状を有するストレート管領域１３ＡＳと、このストレート管領域１３ＡＳとの境界から後端部１２Ａに向かうに従って管径が徐々に小さくなる円錐管領域１３ＡＣとからなる。
【００２３】
円錐管領域１３ＡＣにおける後端部１２Ａの近傍領域には、図１（ｂ）および（ｄ）に示すように、円錐管領域１３ＡＣの円周方向に互いに１２０°の角度をなして３個の支持部１５Ａが設けられている。
【００２４】
各支持部１５Ａは、図１（ａ）および（ｃ）に示すように、硬質スポンジゴムからなる接触部１５１が貼り付けられた金属板１５２を有する。ここで、接触部１５１は、本体部１０Ａがベル２内に挿入されることによりベル２の内壁と当接する部材である。接触部１５１および金属板１５２は、いずれも長方形の平面形状を有している。そして、金属板１５２および円錐管領域１３ＡＣ間の隙間には、板バネ１５４が挿入されている。この板バネ１５４は、金属板１５２を円錐管領域１３ＡＣの表面から遠ざける反発力を発生する弾性部材である
【００２５】
接触部１５１の貼り付けられた金属板１５２は、前端部を本体部１０Ａの前端部１１Ａ側に向け、後端部を本体部１０Ａの後端部１２Ａ近傍に位置させた状態で、前後２つのヒンジ機構１５３Ｆおよび１５３Ｒを介して円錐管領域１３ＡＣに支持されている。ここで、ヒンジ機構１５３Ｆは、金属板１５２および円錐管領域１３ＡＣに各々支持されたヒンジピン１５３ａおよび１５３ｂと、第１のリンクとしての金属板１５３ｃを有する。この第１のリンクとしての金属板１５３ｃは、ヒンジピン１５３ａを介して金属板１５２に回動自在に連結され、かつ、ヒンジピン１５３ｂを介して円錐管領域１３ＡＣに回動自在に連結されている。また、ヒンジ機構１５３Ｒは、金属板１５２および円錐管領域１３ＡＣに各々支持されたヒンジピン１５３ｄおよび１５３ｅと、第２のリンクとしての金属板１５３ｆを有する。この第２のリンクとしての金属板１５３ｆは、ヒンジピン１５３ｄを介して金属板１５２に回動自在に連結され、かつ、ヒンジピン１５３ｅを介して円錐管領域１３ＡＣに回動自在に連結されている。このヒンジ機構１５３Ｆおよび１５３Ｒと、金属板１５２と、円錐管領域１３ＡＣは、ヒンジ機構１５３Ｆおよび１５３Ｒの金属板１５３ｃおよび１５３ｆがヒンジピン１５３ｂおよび１５３ｅ廻りに各々回動することにより金属板１５２を前後方向に平行移動させる平行移動機構を構成している。そして、本実施形態においてヒンジ機構１５３Ｆおよび１５３Ｒにおける金属板１５３ｃおよび１５３ｆは、本体部１０Ａがベル２内に挿入された状態において、ベル２の開口部側に傾いた角度で接触部１５１をベル２の内壁に押し当てる。
【００２６】
以上総括すると、本実施形態による消音器１Ａにおいて、支持部１５Ａは、本体部１０Ａがベル２内に挿入されることによりベル２の内壁に当接する接触部１５１と、本体部１０Ａに対して相対的に回動することにより接触部１５１を移動させる部材であるヒンジ機構１５３Ｆおよび１５３Ｒを有する。
【００２７】
また、他の観点によると、本実施形態による消音器１Ａにおいて、支持部１５Ａは、本体部１０Ａがベル２内に挿入されることによりベル２の内壁に当接する接触部１５１を有するとともに、ベル２の開口部側に傾いた角度で接触部１５１をベル２の内壁に押し当てるヒンジ機構１５３Ｆおよび１５３Ｒを有するものである。
以上が本実施形態による消音器１Ａの構成である。
【００２８】
次に本実施形態の動作を説明する。図１（ａ）および（ｂ）に示すように、消音器１Ａがベル２に浅く挿入され、各支持部１５Ａの各接触部１５１がベル２の内壁に触れていない状態では、板バネ１５４によって金属板１５２が最大限に遠ざけられ、支持部１５Ａのヒンジ機構１５３Ｆおよび１５３Ｒの金属板１５３ｃおよび１５３ｆは円錐管領域１３ＡＣに対して垂直に起立している。
【００２９】
図１（ｃ）および（ｄ）に示すように、消音器１Ａがベル２に深く挿入されると、その過程において、消音器１Ａの各支持部１５Ａの接触部１５１がベル２の内壁に押し当てられる。このとき各支持部１５Ａの接触部１５１および金属板１５２は、ベル２の内壁からの反作用により、板バネ１５４の反発力に抗して、ヒンジ機構１５３Ｆおよび１５３Ｒの金属板１５３ｃおよび１５３ｆを本体部１０Ａの前端部１１Ａ側に回動させつつ、円錐管領域１３ＡＣの表面に近づく。この結果、各支持部１５Ａの板バネ１５４の反発力により接触部１５１がベル２の内壁に押し当てられ、接触部１５１とベル２の内壁との間に強い摩擦力が発生し、消音器１Ａがベル２に固定される。
【００３０】
この消音器１Ａがベル２に固定された状態において、各支持部１５Ａのヒンジ機構１５３Ｆおよび１５３Ｒの金属板１５３ｃおよび１５３ｆは、ベル２の開口部側に傾いた角度で接触部１５１をベル２の内壁に押し当てる。そして、ベル２外に引き出そうとする力が消音器１Ａに加わり、消音器１Ａがベル２外部に移動しようとすると、各支持部１５Ａのヒンジ機構１５３Ｆおよび１５３Ｒの金属板１５３ｃおよび１５３ｆが円錐管領域１３ＡＣの表面から立ち上がり、接触部１５１をベル２の内壁に押し当てる圧力を増加させる。この結果、接触部１５１およびベル２の内壁との間の摩擦力がさらに増加し、消音器１Ａのベル２外への脱落が防止される。
【００３１】
＜第２実施形態＞
図２（ａ）および（ｃ）はこの発明の第２実施形態である消音器１Ｂの構成を示す縦断面図である。ここで、図２（ａ）は消音器１Ｂがベル２に浅く挿入され、ベル２に固定されていない状態を示しており、図２（ｃ）は消音器１Ｂがベル２に深く挿入され、ベル２に固定された状態を示している。図２（ｂ）および（ｄ）は図２（ａ）および（ｃ）における消音器１Ｂをマウスピース側（図中、右側）から見た背面図である。
【００３２】
図２（ａ）および（ｃ）に示すように、消音器１Ｂは、本体部１０Ｂと、この本体部１０Ｂの後端に固定されたリブ２０Ｂと、このリブ２０Ｂに装着された音程調整部材６０とを有する。本体部１０Ｂは、後端部１２Ｂが開口し、その反対側の前端部１１Ｂが閉塞した中空の筒体である。前端部１１Ｂは中央が出っ張った曲面形状を有している。この前端部１１Ｂから後端部１２Ｂまでの区間を覆う側壁１３Ｂは、管径が一定の中空円筒形状を有するストレート管領域１３ＢＳと、このストレート管領域１３ＢＳとの境界から後端部１２Ｂに向かうに従って管径が徐々に小さくなる円錐管領域１３ＢＣとからなる。
【００３３】
円錐管領域１３ＢＣの後端近傍の外周面には、硬質スポンジゴム等による支持部４０Ｂが固定されている。この支持部４０Ｂは、消音器１Ｂのベル２内への挿入時、ベル２の内壁と密着して、消音器１Ｂをベル２内に保持する役割を果たす。
【００３４】
本体部１Ｂの内部には、性能調整パイプ３０が設けられている。この性能調整パイプ３０は、全体として略Ｕ字状をなす中空円筒形状のパイプであり、その両端は開口している。図２（ａ）および（ｃ）に示すように、性能調整パイプ３０の第１の端部３０ａは本体部１０Ｂの内側で開口している。また、性能調整パイプ３０の第２の端部３０ｂは本体部１０Ｂの外側に開口している。この性能調整パイプ３０には、３つの役割がある。第１の役割は、演奏者によってベル２および消音器１Ｂ内に吹き込まれた呼気を外部に逃がす役割である。第２の役割は、ベル２および消音器１Ｂ内の音圧波のスペクトル分布に生じる不要なピークを低減する役割である。第３の役割は、ベル２および消音器１Ｂ内に発生する音波を安定させる役割である。
【００３５】
リブ２０Ｂは、音程調整部材６０を本体部１０Ｂの後方の所定の位置に支持するための部材である。このリブ２０Ｂは、図２（ｂ）および（ｄ）に示すように、消音器１Ｂの外側領域を本体部１０Ｂの内側領域に連通させる複数の窓２３Ｂを有している。
【００３６】
リブ２０Ｂの後端部寄りの部分は、中空の円錐台状の音程調整部材６０に収容されており、リブ２０Ｂの後端の開口部は音程調整部材６０の底部６１によって閉塞されている。音程調整部材６０の外周面には、図２（ｂ）および（ｄ）に示すように、複数（図示の例では３個）の支持部１５Ｂが周方向に所定角度（図示の例では１２０°）を空けて配置されている。各支持部１５Ｂは、上記第１実施形態の支持部１５Ａ（図１（ａ）〜（ｄ）参照）と同様、接触部１５１と、この接触部１５１を支持する金属板１５２と、金属板１５２をベル内壁に向けて押す反発力を発生する板バネ１５４を有する。そして、金属板１５２は、前後２つのヒンジ機構１５３Ｆおよび１５３Ｒにより、音程調整部材６０の外周面に支持されている。各支持部１５Ｂは、上記第１実施形態の支持部１５Ａと同様、消音器１Ｂがベル２内に挿入された状態において、ベル２の開口端側に傾いた角度で接触部１５１をベル２の内壁に押し当てることにより、消音器１Ｂをベル２内に保持する。また、本実施形態における各支持部１５Ｂは、このような役割の他、消音器１Ｂがベル２内に挿入されて保持された状態において、音程調整部材６０とベル２の内壁との間に所定の断面積の隙間を空ける役割を果たす。
【００３７】
音程調整部材６０は、消音器１Ｂをベル２内に装着した場合において、音程性能の劣化を防止する役割、すなわち、消音器１Ｂの前端部１１Ｂがベル２の前端部に接近していることに起因して生じる演奏音の音程のずれ（消音器を装着しないで演奏を行った場合の音程と消音器を装着して演奏を行った場合の音程とのずれ）を補正する役割を担っている。さらに詳述すると、次の通りである。
【００３８】
まず、消音器の前端部をベル端部から突き出させた構成では、消音器を装着していない場合と同様な音圧波形を持った定在波がベル２内に生じているものとする。
【００３９】
ここで、消音器の前端部をベル端部まで移動させると、ベル２内の定在波の波形はベル２の軸方向に圧縮した波形となり、ベル２内に発生される音の音程は高くなる。
【００４０】
そこで、本実施形態では、ベル２内の前端部１１Ｂから軸方向に沿って後方に所定距離だけ離れた位置に音程調整部材６０を設けている。本実施形態においてマウスピース側からの呼気（音波）は、この音程調整部材６０とベル２の内壁との間の隙間を通過し、リブ２０Ｂの窓２３Ｂを介して本体部１０Ｂに導入される。このように音程調整部材６０のある領域では、金管楽器の演奏者の呼気（音波）を本体部１０Ｂに導入するための呼気流路（音波伝搬経路）の断面積が他よりも縮小されている。この呼気流路（音波伝搬経路）の断面積が縮小されている領域では、他の領域よりも呼気の流速（音波の速度）が大きくなるので、ベル２内ではこの音程調整部材６０のある領域の付近に音圧の節を持った定在波が発生し易くなる。このように本実施形態では、音程調整部材６０を設けたことにより、ベル２内に生じる定在波の音圧の節がベル端部側に引き寄せられ、前端部１１Ｂをベル２の前端部に接近させたことに起因して生じる演奏音の音程のずれが補正される。
以上が本実施形態による消音器１Ｂの詳細である。
【００４１】
本実施形態では、本体部１０Ｂに固定された支持部４０Ｂと、音程調整部材６０に固定された支持部１５Ｂとが、消音器１Ｂをベル２内に保持する役割を果たす。そして、本実施形態では、２つの支持部４０Ｂおよび１５Ｂのうち支持部１５Ｂが主たる保持力を発生する。この場合における支持部１５Ｂの動作は上記第１実施形態の支持部１５Ａと同様である。従って、本実施形態によれば、上記第１実施形態と同様な効果が得られる。また、本実施形態では、軸方向の前後２カ所に設けられた２種類の支持部４０Ｂおよび１５Ｂが消音器１Ｂをベル２内に保持する。従って、本実施形態によれば、消音器１Ｂを動かないように安定させてベル２内に保持することができるという効果が得られる。
【００４２】
＜第３実施形態＞
図３（ａ）および（ｃ）はこの発明の第３実施形態である消音器１Ｃの構成を示す縦断面図である。ここで、図３（ａ）は消音器１Ｃがベル２に浅く挿入され、ベル２に固定されていない状態を示しており、図３（ｃ）は消音器１Ｃがベル２に深く挿入され、ベル２に固定された状態を示している。図３（ｂ）および（ｄ）は図３（ａ）および（ｃ）における消音器１Ｃをマウスピース側（図中、右側）から見た背面図である。
【００４３】
上記第１実施形態（図１（ａ）〜（ｄ））と同様、消音器１Ｃは、前端部１１Ｃが閉塞し、後端部１２Ｃが開口した本体部１０Ｃを有している。また、本体部１０Ｃの側壁１３Ｃは、ストレート管領域１３ＣＳと円錐管領域１３ＣＣとからなる。円錐管領域１３ＣＣにおける後端部１２Ｃの近傍領域には、図３（ｂ）および（ｄ）に示すように、円錐管領域１３ＣＣの円周方向に互いに１２０°の角度をなして３個の支持部１５Ｃが設けられている。各支持部１５Ｃは、上記第１実施形態の支持部１５Ａにおける後端部側のヒンジ機構１５３Ｒをヒンジ機構１５３Ｒ’に置き換えた構成となっている。このヒンジ機構１５３Ｒ’では、上記第１実施形態の金属板１５３Ｃがこれより長い金属板１５３ｇに置き換えられている。この金属１５３ｇは、一端がヒンジピン１５３ｄにより金属板１５２の後端部に軸支され、他端がヒンジピン１５３ｈによりナット５１の外周面に軸支され、両端間の途中の部分がヒンジピン１５３ｅにより円錐管領域１３ＣＣの後端部に軸支されている。
【００４４】
消音器１Ｃには、ナット５１を本体部１０Ｃの軸方向に沿って前後動させる機構が設けられている。この機構の構成は次の通りである。まず、棒５２は、本体部１０Ｃの前端部１１Ｃの中央に設けられた貫通孔に回動自在に支持されている。この棒５２は、側面に雄ネジが形成されており、ボルトとして機能する。そして、ナット５１の雌ネジ孔は、このボルトたる棒５２の雄ネジに螺着されている。本体部１０Ｃの前端部１１Ｃの前面には本体部１０Ｃ内の棒５２に結合されたノブ５３が設けられている。ユーザは、このノブ５３により棒５２を例えば時計廻りに回転させることにより、ナット５１を前端部１１Ｃ側に寄せ、反時計廻りに回転させることにより、ナット５１を前端部１１Ｃから後方（マウスピース側）に向けて遠ざけることができる。
【００４５】
以上総括すると、本実施形態による消音器１Ｃにおいて、支持部１５Ｃは、本体部１０Ｃがベル２内に挿入されることによりベル２の内壁に当接する接触部１５１と、本体部１０Ｃに対して相対的に回動することにより接触部１５１を移動させる部材であるヒンジ機構１５３Ｆおよび１５３Ｒ’を有する。
【００４６】
また、他の観点によると、本実施形態による消音器１Ｃにおいて、支持部１５Ｃは、本体部１０Ｃがベル２内に挿入されることによりベル２の内壁に当接する接触部１５１を有するとともに、ベル２の開口部側に傾いた角度で接触部１５１をベル２の内壁に押し当てるヒンジ機構１５３Ｆおよび１５３Ｒ’を有するものである。
【００４７】
さらに他の観点によると、本実施形態による消音器１Ｃは、ベル２内に挿入される本体部１０Ｃと、本体部１０Ｃがベル２内に挿入されることによりベル２の内壁に当接する接触部１５１を支持する支持部１５Ｃと、接触部１５１のベル２の内壁に対する圧力を調整する圧力調整手段とを具備する。本実施形態において、圧力調整手段は、支持部１５Ｃの一部をなすヒンジ機構１５３Ｒ’と、このヒンジ機構１５３Ｒ’に連結されたナット５１を軸方向に移動させる棒５２およびノブ５３により構成されている。
以上が本実施形態による消音器１Ｃの構成である。
【００４８】
次に本実施形態の動作を説明する。図３（ａ）に示すように、ヒンジ機構１５３Ｆの金属板１５３ｃおよびヒンジ機構１５３Ｒの金属板１５３ｇが円錐管領域１３ＣＣの表面に対して垂直に立ち上がった状態では、接触部１５１が円錐管領域１３ＣＣの表面から最大限に遠ざかっている。この状態では、消音器１Ｃをベル２内のあまり奥に挿入することはできない。
【００４９】
そこで、ノブ５３を回すことにより、図３（ｃ）に示すようにナット５１を前端部１１Ｃからマウスピース側に遠ざける。この結果、ヒンジ機構１５３Ｆの金属板１５３ｃおよびヒンジ機構１５３Ｒ’の金属板１５３ｇがベル２の開口端側に傾く。この状態では、接触部１５１が円錐管領域１３ＣＣ側に退行しているため、消音器１Ｃをベル２内に深く挿入することができる。そして、消音器１Ｃをベル２内に深く挿入した状態において、ノブ５３を逆方向に回し、ナット５１を前端部１１Ｃ側に近づける。この結果、ヒンジ機構１５３Ｆの金属板１５３ｃおよびヒンジ機構１５３Ｒ’の金属板１５３ｇが立ち上がり、接触部１５１をベル２の内壁に強く押し当てる。この状態において、ヒンジ機構１５３Ｆの金属板１５３ｃおよびヒンジ機構１５３Ｒ’の金属板１５３ｇは、ベル２の開口端側に傾いた角度で、接触部１５１をベル２の内壁に強く押し当てる。従って、消音器１Ｃがベル２から脱落するのを防止することができる。また、本実施形態では、このように消音器１Ｃをベル２内に固定した後、ノブ５３の回転操作により接触部１５１のベル２の内壁に対する接触圧を高め、管楽器を振っても消音器１Ｃがベル２から脱落しないように消音器１Ｃの保持力を増加させることが可能である。また、本実施形態では、ノブ５３の回転操作により接触部１５１のベル２の内壁に対する接触圧を弱め、消音器１Ｃの保持力を減少させることも可能である。このように本実施形態では、消音器１Ｃをベル２内に固定した後、保持力を調整することが可能である。
【００５０】
消音器１Ｃをベル２から取り外したい場合は、大きな力で消音器１Ｃをベル２から引き抜いてもよいが、ノブ５３の回転操作により保持力を弱めることにより、消音器１Ｃをベル２から楽に取り外すことができる。
【００５１】
＜第４実施形態＞
図４（ａ）および（ｃ）はこの発明の第４実施形態である消音器１Ｄの構成を示す縦断面図である。ここで、図４（ａ）は消音器１Ｄがベル２に浅く挿入され、ベル２に固定されていない状態を示しており、図４（ｃ）は消音器１Ｄがベル２に深く挿入され、ベル２に固定された状態を示している。図４（ｂ）および（ｄ）は図４（ａ）および（ｃ）における消音器１Ｄをマウスピース側（図中、右側）から見た背面図である。本実施形態は、上記第２実施形態（図２（ａ）〜（ｄ））に対し、上記第３実施形態（図３（ａ）〜（ｄ））に基づく変形を加えたものである。本実施形態による消音器１Ｄは、上記第２実施形態と同様なリブ２０Ｂを有するが、図面が煩雑になるのを防止するため、図４（ａ）および（ｃ）では、リブ２０Ｂの図示が省略されている。なお、図４（ａ）〜（ｄ）において、図２（ａ）〜（ｄ）に示された部分と対応する部分には共通の符号を使用し、その説明を省略する。
【００５２】
本実施形態において、音程調整部材６０の外周面には、図４（ｂ）および（ｄ）に示すように、円周方向に互いに１２０°の角度をなして３個の支持部１５Ｄが設けられている。各支持部１５Ｄは、上記第１実施形態の支持部１５Ａにおける前端部側のヒンジ機構１５３Ｆをヒンジ機構１５３Ｆ’に置き換えた構成となっている。すなわち、本実施形態において、接触部１５１を支持する金属板１５２は、前端部側のヒンジ機構１５３Ｆ’と後端部側のヒンジ機構１５３Ｒを介して音程調整部材６０の外周面に支持されている。ヒンジ機構１５３Ｆ’では、上記第１実施形態の金属板１５３ｃがこれより長い金属板１５３ｉに置き換えられている。この金属１５３ｉは、一端がヒンジピン１５３ａにより接触部１５１を支持する金属板１５２の前端部に軸支され、他端がヒンジピン１５３ｊによりナット５１の外周面に軸支され、両端間の途中の部分がヒンジピン１５３ｂにより音程調整部材６０の前端部に軸支されている。
【００５３】
上記第３実施形態では、ノブ５３の回転操作により、ヒンジ機構１５３Ｒ’の金属板１５３ｇの傾きが調整された。これに対し、本実施形態では、ノブ５３の回転操作により、ヒンジ機構１５３Ｆ’の金属板１５３ｉの傾きが調整される。この点を除けば、本実施形態において消音器の保持力を増減させる動作は上記第３実施形態と同様である。また、本実施形態では、軸方向の前後２カ所に設けられた２種類の支持部４０Ｂおよび１５Ｄが消音器１Ｄをベル２内に保持する。従って、本実施形態によれば、消音器１Ｄを動かないように安定させてベル２内に保持することができるという効果が得られる。
【００５４】
＜第５実施形態＞
図５（ａ）および（ｃ）はこの発明の第５実施形態である消音器１Ｅの構成を示す縦断面図である。ここで、図５（ａ）は消音器１Ｅがベル２に浅く挿入され、ベル２に固定されていない状態を示しており、図５（ｃ）は消音器１Ｅがベル２に深く挿入され、ベル２に固定された状態を示している。図５（ｂ）および（ｄ）は図５（ａ）および（ｃ）における消音器１Ａをマウスピース側（図中、右側）から見た背面図である。また、図６は本実施形態における傘部１５８と、スペーサ１５９と、円筒部７０Ｅと、軸部１５７の構成を示す斜視図である。
【００５５】
図５（ａ）および（ｃ）に示すように、消音器１Ｅの本体部１０Ｅは、上記第２および第４実施形態と同様な性能調整パイプ３０を有する。また、本体部１０Ｅは、後方に向けて突出した中空の円筒部７０Ｅを後端部に有する。この円筒部７０Ｅは、後端部が開口しており、図６に示すように、外周面に雄ネジ７１Ｅが形成されている。支持部１５Ｅは、円筒部７０Ｅ内に収容され、円筒部７０Ｅを軸支する中空円筒状の軸部１５７と、軸部１５７の後端部から本体部１０Ｅの前端部１１Ｅ側に折り返した傘部１５８とを有する。軸部１５７は、後端が開口部１５７ａとなっている。ここで、傘部１５８は、ベル２の内壁と対向しており、ベル２の内壁との対向面により接触部１５１を支持する。また、図６に示すように、傘部１５８は、軸部１５７と対向する面に軸方向に延在した案内用の凸部１５８ａを有する。スペーサ１５９は、円筒部７０Ｅが挿通される貫通孔を有する円錐台状の部材であり、外径の長い端部を本体部１０Ｅの前端部１１Ｅ側に、外径の短い端部をマウスピース側に向けている。このスペーサ１５９の貫通孔の内壁には円筒部７０Ｅの外周の雄ネジ７１Ｅと螺合する雌ネジ孔（図示略）が形成されている。また、図６に示すように、スペーサ１５９の外周面には、傘部１５８の凸部１５８ａと係合する凹部１５９ａが形成されている。
【００５６】
以上総括すると、本実施形態による消音器１Ｅにおいて、支持部１５Ｅは、本体部１０Ｅがベル２内に挿入されることによりベル２の内壁に当接する接触部１５１と、本体部１０Ｃに対して相対的に回動することにより接触部１５１を移動させる部材である傘部１５８を有する。なお、傘部１５８が本体部１０Ｃに対して相対的に回動して接触部１５１を移動させる動作については後述する。
【００５７】
また、他の観点によると、本実施形態による消音器１Ｅは、ベル２内に挿入される本体部１０Ｅと、本体部１０Ｅがベル２内に挿入されることによりベル２の内壁に当接する接触部１５１を支持する支持部１５Ｅと、接触部１５１のベル２の内壁に対する圧力を調整する圧力調整手段とを具備する。本実施形態において、圧力調整手段は、円筒部７０Ｅと、軸部１５７と、傘部１５８と、スペーサ１５９により構成されている。
以上が消音器１Ｅの構成である。
【００５８】
本実施形態において、本体部１０Ｅを回転させると、回転する円筒部７０Ｅのネジによりスペーサ１５９が軸方向前後に移動させることができる。本実施形態では、このスペーサ１５９の移動により、消音器１Ｅの保持力の調整を行う。図５（ａ）に示すように、スペーサ１５９が本体部１０Ｅの前端部１１Ｅに最も接近した状態では、傘部１５８と軸部１５７とがなす角度が最も小さくなる。この場合、接触部１５１は、軸部１５７側に退行しているため、消音器１Ｅをベル２内の深い位置まで挿入することができる。このように消音器１Ｅをベル２内の深い位置に挿入した状態において、本体部１０Ｅを回転させることにより、スペーサ１５９をマウスピース側に移動させる。この結果、傘部１５８と軸部１５７とがなす角度が広がり（すなわち、傘部１５８が軸部１５７の端部廻りに回動し）、傘部１５８に支持された接触部１５１がベル２の内壁に強く押し当てられる。従って、消音器１Ｅのベル２からの脱落を防止することができる。なお、この例では傘部１５８に凸部１５８ａを、スペーサ１５９に凹部１５９ａを設けたが、傘部１５８に凹部を、スペーサ１５９に凸部を設けて両者を係合させてもよい。
【００５９】
＜第６実施形態＞
図７（ａ）および（ｃ）はこの発明の第５実施形態である消音器１Ｆの構成を示す縦断面図である。ここで、図７（ａ）は消音器１Ｆがベル２に浅く挿入され、ベル２に固定されていない状態を示しており、図７（ｃ）は消音器１Ｆがベル２に深く挿入され、ベル２に固定された状態を示している。図７（ｂ）および（ｄ）は図７（ａ）および（ｃ）における消音器１Ｆをマウスピース側（図中、右側）から見た背面図である。なお、これらの図において、前掲図１（ａ）〜（ｄ）の各部分と対応する部分には共通の符号を使用して、その説明を省略する。
【００６０】
本実施形態における支持部１５Ｆは、硬質スポンジゴム等の弾性体からなる部材であり、中空円筒状の土台部１５Ｆａと、複数の円環部１５Ｆｂとからなる。ここで、土台部１５Ｆａは、消音器１Ｆの本体部１０Ａにおける円錐管領域１３ＡＣの後端近傍部分を収納した状態で円錐管領域１３ＡＣに固定される。複数の円環部１５Ｆｂは、土台部１５Ｆａの軸方向に沿った複数個所において、外側に向けて突出している。
【００６１】
消音器１Ｆをベル２に浅く挿入した状態では、図７（ａ）に示すように、ベル２の内壁が支持部１５Ｆの円環部１５Ｆｂに接触しない。しかし、消音器１Ｆをベル２に深く挿入すると、図７（ｃ）に示すように、ベル２の内壁からの圧力によって、支持部１５Ｆの円環部１５Ｆｂがベル２の開口端側に倒される。ここで、円環部１５Ｆｂは弾性体により構成されている。このため、円環部１５Ｆｂの先端が、円環部１５Ｆｂの弾性力によりベル２の内壁に強く押し当てられる。また、消音器１Ｆにベル２から引き出す力が働くと、その際に円環部１５Ｆｂは、ベル２の開口端側に傾いた角度でその先端をベル２の内壁に向けて押し当て抵抗する。この結果、円環部１５Ｆｂが曲がって、より大きな弾性力を発生し、円環部１５Ｆｂの先端をベル２の内壁に押し当てる圧力が増加する。この結果、消音器１Ｆのベル２からの脱落が防止される。
【００６２】
図８は本実施形態における支持部１５Ｆの変形例である支持部１５Ｇの構成を示す斜視図である。この変形例では、円環部１５Ｆｂを設ける代わりに、土台部１５Ｆａの外周面において、周方向に所定角度（図示の例では１２０°）を空けて複数（図示の例では３個）の板状の凸部１５Ｆｃが設けられている。この支持部１５Ｇを採用した場合においても本実施形態と同様な効果が得られる。なお、この支持部１５Ｇは、上記第２実施形態（図２）、第４実施形態（図４）のように、音程調整部材とベル２の内壁との間に音波の経路を設ける必要がある消音器に好適である。
【００６３】
＜他の実施形態＞
以上、この発明の第１〜第６実施形態について説明したが、この発明には他にも実施形態が考えられる。例えば次の通りである。
【００６４】
（１）支持部を構成するそれぞれの部品は、同様な機能を果たせる別な素材、構造で構成しても良い。
【００６５】
（２）上記第３および第４実施形態では、ボルトとしての棒５２とナット５１により消音器の保持力を増強する機構を構成したが、この保持力を増強する機構として、このようなボルトナット構造以外に、押し込みロック、ロック解除のような機構を用いてもよい。
【００６６】
（３）上記各実施形態は、チーチーミュートやプラクティスミュートのように消音器の音波の入口（後端部）の全周にスポンジゴムを貼って密閉させるタイプの消音器に適用可能である他、ストレートミュートのように部分的な接触で保持力を得るタイプの消音器にも適用可能である。
【００６７】
（４）上記第１〜第４実施形態では、軸方向の前後２カ所において、第１および第２のリンクたる２つのヒンジ機構により接触部１５１および金属板１５２を支持したが、例えば金属板１５２の中央を1個のヒンジ機構（すなわち、１本のリンク）により支持してもよい。
【００６８】
（５）上記第１〜第４実施形態では、２つのヒンジ機構の金属板の一端が金属板１５２に回動自在に軸支されるとともに、２つのヒンジ機構の金属板の他端が本体部またはリブに回動自在に軸支された。しかし、そのようにする代わりに、２つのヒンジ機構の金属板の代わりに弾性板を使用し、この弾性板の一端を回動自在でない態様（例えば接着）で金属板１５２に支持させ、あるいは弾性板の他端を回動自在でない態様で本体部またはリブに支持させてもよい。この場合、ヒンジ機構の金属板の代わりに設けた弾性板が、接触部１５１を本体部またはリブから遠ざける役割を果たすので、板バネ１５４を省略してもよい。
【００６９】
（６）上記第５実施形態では、傘部１５８を回動させることにより接触部１５１をベル２の内壁に押し当てたが、車両を持ち上げるジャッキのような機構により接触部１５１を平行移動させ、ベル２の内壁に押し当てるように構成してもよい。
【符号の説明】
【００７０】
１Ａ，１Ｂ，１Ｃ，１Ｄ，１Ｅ，１Ｆ……消音器、１０Ａ，１０Ｂ，１０Ｃ，１０Ｅ……本体部、１５Ａ，１５Ｂ，１５Ｃ，１５Ｄ，１５Ｅ，１５Ｆ，１５Ｇ……支持部、１５１……接触部、１５２，１５３ｃ，１５３ｆ，１５３ｇ，１５３ｉ……金属板、１５３ａ，１５３ｂ，１５３ｄ，１５３ｅ，１５３ｈ，１５３ｊ……ヒンジピン、１５３Ｆ，１５３Ｆ’，１５３Ｒ，１５３Ｒ’……ヒンジ機構、１５４……板バネ、５１……ナット、５２……ボルト、５３……ノブ、７０Ｅ……円筒部、１５７……軸部、１５８……傘部、１５９……スペーサ。
【図１】
2015079217.tif 000003
【図２】
2015079217.tif 000004
【図３】
2015079217.tif 000005
【図４】
2015079217.tif 000006
【図５】
2015079217.tif 000007
【図６】
2015079217.tif 000008
【図７】
2015079217.tif 000009
【図８】
2015079217.tif 000010